(57)【要約】  【課題】着用者に対する影響を抑制した上で、ヘルメットを簡単、かつ迅速に脱がす。  【解決手段】ヘルメット用脱帽装置１の左右に位置する引っ張り部２，３を左右方向に引き、ヘルメットＡの下端部Ａ１を押し拡げるとともに、着用者の頭部に被せたキャップ部１１に対し、引っ張り部２，３の表面部２１，３１で下端部Ａ１を押し上げるようにしてヘルメットＡを脱がせる。  【選択図】図３
2005054300.tif 000002
【特許請求の範囲】
【請求項１】
主に着用者以外の手によってヘルメットを脱がせるために用いるヘルメット用脱帽装置であって、
ヘルメット着用者の頭部に適合して被せられる形状に形成され、かつ着用時には着用者の頭部とヘルメットの間に存在し、ヘルメットの左右側面側の下端から垂れ下がる引っ張り部を備えて構成され、
ヘルメットを脱がせる際には、着用者の頭部に跨った構造の前記引っ張り部を左右方向に引くことによって、ヘルメットの下端部を拡げるとともに、左右の引っ張り部の表面部で前記下端部を押し上げるようにしてヘルメットを脱がせることを特徴とするヘルメット用脱帽装置。
【請求項２】
主に着用者以外の手によってヘルメットを脱がせるために用いるヘルメット用脱帽装置であって、
ヘルメットの内側に適合して沿う形状に形成され、かつ通常時においては帽体と内装体の間に、もしくは、内装体の一部として存在し、ヘルメットの左右側面側の下端から垂れ下げ可能に、ヘルメットの下端付近に保持される引っ張り部を備えて構成され、
ヘルメットを脱がせる際には、着用者の頭部に跨った構造の前記引っ張り部を下方に引っ張って保持を解除するとともに引き出してこれを左右方向に引くことによって、ヘルメットの下端部を広げるとともに、引っ張り部の表面部によって前記下端部を押し上げるようにしてヘルメットを脱がせることことを特徴とするヘルメット用脱帽装置。
【請求項３】
主に着用者以外の手によってヘルメットを脱がせるために用いるヘルメット用脱帽装置であって、
ヘルメット着用者の頭部から顔面に亘って被るマスク部と、帯状の素材を用いた引っ張り部とからなり、
引っ張り部は、少なくともマスク部の左右側面に固着されるとともに、ヘルメットの左右側面側の下端から垂れ下がるように構成され、
ヘルメットを脱がせる際には、前記引っ張り部を左右方向に引き、ヘルメットの下端部を拡げるとともに、左右の引っ張り部の表面部で下端部を押し上げるようにしてヘルメットを脱がせることを特徴とするヘルメット用脱帽装置。
【請求項４】
前記垂れ下がる引っ張り部は、頬部内装材の下端または頭部内装材の下端あるいは帽体の下端付近に保持されていることを特徴とする請求項１ないし請求項３いずれか１項に記載のヘルメット用脱帽装置。
【発明の詳細な説明】
【技術分野】
【０００１】
本発明は、主にヘルメット着用者自らがヘルメットを脱げない状況において、第３者がヘルメットを脱がせる際に用いるヘルメット用脱帽装置に関する。
【背景技術】
【０００２】
転倒事故等によって着用者自らがヘルメットを脱げない状況におけるヘルメットの脱がし方は、できるだけ頭部や頚部を動かさないことを注意しながらヘルメットを被る手順の逆としてゆっくりと脱がすことが基本である。（非特許文献１参照）
【非特許文献１】平成１０年６月１日発行、日本赤十字社編「救急法講習教本」第３版、p.82〜p.84
【０００３】
しかしながら、ヘルメットの脱がせ方については、非特許文献にも記載されているように、頚部損傷の合併を発生させないこと、特に、フルフェース型ヘルメットやジェット型ヘルメットを脱がせる場合には２人の救助者が必要であること、ヘルメットの被り方を理解する必要があること等、数々の注意が必要である。
また、状況によってはヘルメットを迅速に脱がすことが必要となるが、前記したように慎重な対応が要求されるため、極めて難しいものであった。
【発明の開示】
【発明が解決しようとする課題】
【０００４】
そこで、本発明は、着用者に対する影響を抑制した上で、ヘルメットを簡単、かつ迅速に脱がすことを課題とし、この課題を解決するヘルメットを脱がせるために用いるヘルメット用脱帽装置の提供を目的とする。
【課題を解決するための手段】
【０００５】
上記した目的を達成するために本発明は下記の技術的手段を採用した。
主に着用者以外の手によってヘルメットを脱がせるために用いるヘルメット用脱帽装置であって、ヘルメット着用者の頭部に適合して被せられる形状に形成され、かつ着用時には着用者の頭部とヘルメットの間に存在し、ヘルメットの左右側面側の下端から垂れ下がる引っ張り部を備えて構成され、ヘルメットを脱がせる際には、着用者の頭部に跨った構造の前記引っ張り部を左右方向に引くことによって、ヘルメットの下端部を拡げるとともに、左右の引っ張り部の表面部で前記下端部を押し上げるようにしてヘルメットを脱がせるようにしたことである。（請求項１）
【０００６】
また、主に着用者以外の手によってヘルメットを脱がせるために用いるヘルメット用脱帽装置であって、ヘルメットの内側に適合して沿う形状に形成され、かつ通常時においては帽体と内装体の間に、もしくは、内装体の一部として存在し、ヘルメットの左右側面側の下端から垂れ下げ可能に、ヘルメットの下端付近に保持される引っ張り部を備えて構成され、ヘルメットを脱がせる際には、着用者の頭部に跨った構造の前記引っ張り部を下方に引っ張って保持を解除するとともに引き出してこれを左右方向に引くことによって、ヘルメットの下端部を広げるとともに、引っ張り部の表面部によって前記下端部を押し上げるようにしてヘルメットを脱がせるようにしたことである。（請求項２）
【０００７】
また、主に着用者以外の手によってヘルメットを脱がせるために用いるヘルメット用脱帽装置であって、ヘルメット着用者の頭部から顔面に亘って被るマスク部と、帯状の素材を用いた引っ張り部とからなり、引っ張り部は、少なくともマスク部の左右側面に固着されるとともに、ヘルメットの左右側面側の下端から垂れ下がるように構成され、ヘルメットを脱がせる際には、前記引っ張り部を左右方向に引き、ヘルメットの下端部を拡げるとともに、左右の引っ張り部の表面部で下端部を押し上げるようにしてヘルメットを脱がせるようにしたことである。
（請求項３）
【０００８】
前記垂れ下がる引っ張り部は、頬部内装材の下端または頭部内装材の下端あるいは帽体の下端付近に保持するようにしたことである。（請求項４）
【発明の効果】
【０００９】
請求項１の発明のヘルメット用脱帽装置１は、図１および図２に示すように、ヘルメットＡの着用時にあらかじめ頭部Ｂ１に被り、その上からヘルメットＡを着用する。
請求項２の発明のヘルメット用脱帽装置１は、図７に示すように、あらかじめヘルメットＡ内に内蔵されており、通常通りにヘルメットＡを着用する。
請求項３の発明のヘルメット用脱帽装置１は、図１１に示すように、ヘルメットＡの着用時にあらかじめマスク部１２を被り、その上からヘルメットＡを着用する。    
【００１０】
ヘルメット用脱帽装置１は、図３および図４、図９および図１０に示すように、ヘルメット用脱帽装置１の引っ張り部２，３を左右に引っ張ると、引っ張り部２，３が着用者Ｂの上下の方向と交差し、その表面部２１，３１がほぼ上向きとなる。
つまり、垂れ下がっている引っ張り部２，３を左右に引っ張ることによって、ヘルメット用脱帽装置１の頭頂部を固定した部分と考えた場合、引っ張り部２，３の位置が下方から上方に上昇する動作をする。
本発明はこのような動作を利用してヘルメットを脱がすように構成されたものである。
【００１１】
前記したような動作をする本発明のヘルメット用脱帽装置１を用いたヘルメットＡの脱がせ方は、図３および図４、図９および図１０に示すように、ヘルメット用脱帽装置１の引っ張り部２，３を左右に引っ張ると、引っ張り部２，３が着用者Ｂから離間しながら、その表面部２１，３１がヘルメットＡの下端部Ａ１に接触して当該部位を左右に押し拡げる力（引っ張り力）を加える。
このとき、引っ張り部２，３は、下端部Ａ１によって折り曲げられて表面部２１，３１がほぼ上向きとなる。
この状態から、引っ張り部２，３をさらに引っ張り続けると、これらはヘルメット内で着用者の頭部Ｂ１を跨っているため、着用者の頭部Ｂ１とヘルメットの下端部Ａ１の２箇所にそれぞれ相対する方向に力が作用する。
このとき着用者の頭部Ｂ１を固定した部分と考えた場合、引っ張り部２，３は、表面部２１，３１がほぼ上向きの状態で上昇する動作をするため、表面部２１，３１が下端部Ａ１に接触した状態で下端部Ａ１を押し上げながらヘルメットＡを脱がすように動作する。
【００１２】
つまり、ヘルメットを従来のように脱がすときには、着用者とヘルメットがその装着感を高めるため、開口部を狭くする方向に内装体が設けられたまま直接接触しているので、両者間に発生する摩擦抵抗などに逆らって脱がすためには着用者からヘルメットを引っ張るしかなく、頚椎を傷めてしまう可能性が高い。しかし、本願発明のヘルメット用脱帽装置１を用いることによって、ヘルメットＡは、引っ張り部２，３によって当該部位が左右に拡げられるとともに、着用者の頭部Ｂ１とヘルメットの下端部Ａ１にそれぞれ相対する方向に力が作用するため、引っ張り部２，３の表面部２１，３１を滑りながら脱がす方向に押し上げられる。
【００１３】
前記したようなヘルメットＡの脱がし方をするヘルメット用脱帽装置１によれば、引っ張り部２，３を左右に引っ張り、着用者の頭部Ｂ１を固定部として当該引っ張り部２，３で、ヘルメットの下端部を左右に押し拡げながらヘルメットＡを押し上げて脱がすものであるため、ヘルメットＡを脱がす動作において脱がす方向の力を着用者Ｂの首に作用させない。
つまり、請求項１の発明のヘルメット用脱帽装置１によれば、引っ張り部２，３を左右に引っ張る動作のみでヘルメットＡを脱がすことができるので、一人でもヘルメットを脱がすことが容易、かつ迅速にできる。
また、着用者Ｂの首にはヘルメットＡを脱がす方向（上方に引っ張られる方向）の力が作用せず、従来のように頚椎に負担をかけて傷めてしまうような可能性が少ない。
したがって、本発明のヘルメット用脱帽装置１は、着用者Ｂに対する影響を抑制した上で、ヘルメットＡを簡単、かつ迅速に脱がすという課題を達成できる。
請求項２では、請求項１と同様の効果に加え、ヘルメット用脱帽装置１がヘルメットＡに内臓されているので、通常通りにヘルメットＡを被るだけで、ヘルメットＡを脱がすための構成を備えることになる。
請求項３では、請求項１と同様の効果に加え、例えば、二輪車や四輪車レースに用いられるマスクに代えて、本発明のヘルメット用脱帽装置１を被ることによって、ヘルメットＡを脱がすための構成を備えた上で、難燃性効果および汗吸収効果も備えることができる。
そして、請求項４の発明によれば、引っ張り部２，３を保持しているので、走行中のばたつきが防止されて騒音の抑制をすることができる。
【発明を実施するための最良の形態】
【００１４】
請求項１ないし請求項３におけるヘルメット用脱帽装置は、少なくとも引っ張り部を摩擦抵抗および伸縮が少ない素材を用いることが好適であり、このような素材を用いることで、引っ張り力を無駄なくヘルメットを脱がす方向への力に伝達するとともに、引っ張り部が抵抗なくスムースに引き出される。
請求項２におけるヘルメット用脱帽装置は、ヘルメット内に内蔵することから、可能な限りコンパクトに形成し、かつ摩擦抵抗および伸縮が少ない薄状素材を用いることが好適である。
請求項３におけるヘルメット用脱帽装置は、マスク部を通常使用されるマスクと同様の伸縮性のある難燃性素材を用い、帯状の引っ張り部を伸縮性の少ない難燃性素材を用いて、難燃性効果および汗吸収効果を備えることが好適である。
請求項４における引っ張り部の保持構造については、引っ張り部を保持できるものであれば限定するものではないが、好適にはベルベット式ファスナーである。
【実施例１】
【００１５】
以下、本発明（請求項１）に係る実施例を図１ないし図６に基づいて説明する。
本実施例のヘルメット用脱帽装置１は、摩擦抵抗および伸縮が少なく、かつ通気性を有する布材を用いて所定形状に裁断し縫製したものである。
形状的には、側面略扇形を呈するように裁断し、これを重ね合わせて縫製したものである。
また、布材は化学繊維を用いて荒めに編むことによって、軽量化を実現するとともに通気性を確保したものであって、着用者Ｂが違和感無く快適に被れるようにしている。
【００１６】
ヘルメット用脱帽装置１は、着用者Ｂの頭部Ｂ１に適合する形状に形成した略キャップ状を呈するキャップ部１１と、このキャップ部１１の頭部を跨ぎ、かつ左右両端部を左右に一体に垂れ下げるように形成した引っ張り部２，３とから構成されている。
【００１７】
キャップ部１１は、着用者Ｂの頭部Ｂ１をほぼ全域に被せられる深さとなるように裁断してある。
引っ張り部２，３は、着用者Ｂの耳部Ｂ２をカバーするように垂れ下げてあり、その先端部がヘルメットＡの下端部Ａ１よりも下方に位置する長さとしている。
引っ張り部２，３のヘルメットＡの下端部Ａ１から露出する長さは、少なくとも引っ張ることが容易にできる程度である。
符号２２，３２は、引っ張り部２，３を引っ張るときに、指を掛けるための孔部であり、ヘルメットＡを脱がせる場合には、この孔２２，３２に指を掛けることによって、左右への引っ張りを容易、かつ確実に行えるようにしている。
また、符号２３，３３は孔部２２，３２を補強するための補強布である。
【００１８】
このようにしたヘルメット用脱帽装置１によれば、図３および図４に示すように、引っ張り部２，３を左右に引っ張ることによって、ヘルメットＡの下端部Ａ１が押し拡げられるとともに、ヘルメットＡが表面部２１，３１によって押し上げられて着用者Ｂから脱がすことができる。
そして、図４に示すように、ヘルメットＡの下端部Ａ１が耳部Ｂ２を通り過ぎた位置において、ヘルメットＡを手で引き上げて脱がす。
基本的には、図４の状態から上方への引き上げでは、ヘルメットＡの摩擦抵抗が着用者Ｂに作用しないため、当該図４の状態以上では、手で引き上げて脱がしても何ら着用者Ｂに対する影響は無い。
逆に、図４の状態からさらに引っ張り部２，３を左右に引っ張って、ヘルメットＡを脱がしてもよい。
ただし、着用者が意識不明など頭を支える力がない場合に、ヘルメットを脱がした瞬間第三者が頭を支える配慮が必要である。
【実施例２】
【００１９】
次に、本発明（請求項２）に係る実施例を図７ないし図１０に基づいて説明する。
本実施例のヘルメット用脱帽装置１は、摩擦抵抗および伸縮が少なく、かつ通気性を有する布材を用いて所定形状に裁断し縫製したものであり、形状的には、側面略扇形を呈するように裁断し、これを重ね合わせて縫製したものである。
なお、図７は帽体Ｃのみを断面して表し、図８は全体を断面して表している。
【００２０】
ヘルメット用脱帽装置１は、帽体Ｃにおける衝撃吸収ライナーＣ１の内側に適合する形状の幅広部と、この幅広部の左右に一体に垂れ下げるように形成した引っ張り部２，３とから構成されている。
このようにしたヘルメット用脱帽装置１は、衝撃吸収ライナーの内側と頭部内装体の間に位置し、引っ張り部の先端がヘルメットの下端から突出するようにしている。
引っ張り部２，３の中途は、頭部内装体Ａ３に設けられた保持片Ａ４によって保持されている。
保持片Ａ４は、引っ張り部２，３を引っ張る際に小さい引っ張り力で切断される程度の強度のものである。
引っ張り部２，３の先端にはベルベット式ファスナーの雄側ファスナーＡ５が設けられていて、この雄側ファスナーＡ５を頬部内装体Ａ２の下端に係合させることによって、引っ張り部２，３を頬部内装体Ａ２の下端に沿わせて保持を行っている。
【００２１】
このようにしたヘルメット用脱帽装置１によれば、図８ないし図１０に示すように、引っ張り部２，３の保持を解除するとともに、そのまま下方に引っ張って引っ張り部をヘルメット下端から突出させる。
このとき、引っ張り部２，３は、頬部内装体Ａ２と頭部内装体Ａ３の境目からすり抜けて頬部内装体Ａ２と着用者Ｂの間に移動する。
この状態から、引っ張り部２，３を左右に引っ張ることによって、ヘルメットＡの下端部Ａ１が表面部２１，３１で押し拡げられるとともに、帽体Ｃが表面部２１，３１によって押し上げられ、さらに、頭部内装体Ａ３を衝撃吸収ライナーＣ１に保持するための係合部Ａ６が外されて、頭部内装体Ａ３のみが着用者Ｂに残った状態でヘルメットＡを着用者Ｂから脱がすことができる。
【実施例３】
【００２２】
次に、本発明（請求項３）に係る実施例を図１１に基づいて説明する。
本実施例のヘルメット用脱帽装置１は、難燃性効果と汗吸収効果を備えた上で、伸縮性が高いマスク部１２と摩擦抵抗および伸縮が少ない帯状の引っ張り部２，３とからなる。
マスク部１２は、通常用いられるマスクと同様に、着用者Ｂの頭部から顔面全体に被せるようにしたものである。
引っ張り部２，３は、マスク部１２における頂点部を跨いで左右頬部に亘って配してマスク部１２に縫い付けられている。
また、引っ張り部２，３の先端は、ヘルメット用脱帽装置１を被り、ヘルメットを着用した状態でヘルメットの下端から突出するようにされている。（図示せず）
また、引っ張り部２，３の先端は、ループ状に形成され、このループ部１３，１４に指を引っ掛けて引っ張るようにされている。
このようにした、ヘルメット用脱帽装置１は、マスク部１２が十分に伸びることで、前記した実施例と同様に、引っ張り部２，３を左右に引っ張ることによって、ヘルメットを脱がすことができる。（図示せず）
【００２３】
なお、本発明のヘルメット用脱帽装置は、着用者自身がヘルメットを脱げない状態において第３者がヘルメットを脱がすためのみの使用に限定するものではなく、着用者自身でヘルメットを脱ぐために用いることもできるものである。
また、本発明のヘルメット用脱帽装置は、例示した実施例に限定するものではなく、たとえば、形状および素材について、特許請求の範囲に記載された内容から逸脱しない構成による実施が可能である。
【図面の簡単な説明】
【００２４】
【図１】請求項１の発明に係るヘルメット用脱帽装置を被せた状態の正面図。
【図２】図１の側面図。
【図３】ヘルメットを脱がす動作を示す。
【図４】ヘルメットを脱がす動作を示す。
【図５】ヘルメット用脱帽装置の側面図。
【図６】図５の中央縦断面図。
【図７】請求項２の発明にかかるヘルメット用脱帽装置の配設構造を示す。
【図８】引っ張り部を引っ張っている状態を示す。
【図９】ヘルメットを脱がす動作を示す。
【図１０】ヘルメットを脱がす動作を示す。
【図１１】請求項３の発明にかかるヘルメット用脱帽装置を示す。
【符号の説明】
【００２５】
１：ヘルメット用脱帽装置
１１：キャップ部
２：引っ張り部
２１：表面部  
３：引っ張り部
３１：表面部
Ａ：ヘルメット
Ａ１：下端部
Ａ２：頬部内装材
Ａ３：頭部内装体
Ｂ：着用者
Ｂ１：頭部
Ｃ：帽体
【図１】
2005054300.tif 000003
【図２】
2005054300.tif 000004
【図３】
2005054300.tif 000005
【図４】
2005054300.tif 000006
【図５】
2005054300.tif 000007
【図６】
2005054300.tif 000008
【図７】
2005054300.tif 000009
【図８】
2005054300.tif 000010
【図９】
2005054300.tif 000011
【図１０】
2005054300.tif 000012
【図１１】
2005054300.tif 000013